(57)【要約】【課題】無操作状態が継続している間においても、消費電力の削減をすることができるデジタル放送受信装置を提供する。【解決手段】デジタル放送受信装置１は、無操作電源オフ機能が有効に設定されると、画面をオフするまでの画面オフ時間Ｔ１及び電源をオフするまでの電源オフ時間Ｔ２を記録するＨＤＤ２０と、デジタル放送受信装置１に対する操作が行われない無操作時間をカウントする無操作タイマ２４とを有する。さらに、デジタル放送受信装置１は、無操作タイマ２４によりカウントされた無操作時間が画面オフ時間Ｔ１になったか否かを検出する制御部２２と、制御部２２により無操作時間が画面オフ時間Ｔ１になったことが検出された場合、映像表示部１９への電源の供給を停止するように制御する電源制御部２５とを備え、無操作時間が画面オフ時間Ｔ１になった場合に画面をオフする。【選択図】図１
2011217117.tif 000002
【特許請求の範囲】
【請求項１】
無操作状態を検出して電源をオフする無操作電源オフ機能を備えたデジタル放送受信装置であって、
前記無操作電源オフ機能が有効に設定された後、画面をオフするまでの画面オフ時間及び電源をオフするまでの電源オフ時間を記録するメモリと、
前記デジタル放送受信装置に対する操作が行われない無操作時間をカウントするタイマと、
前記タイマによりカウントされた前記無操作時間が前記メモリに格納された前記画面オフ時間になったか否かを検出する制御部と、
前記制御部により前記無操作時間が前記画面オフ時間になったことが検出された場合、前記画面をオフするために、映像表示部への電源の供給を停止するように制御する電源制御部と、
を備えることを特徴とするデジタル放送受信装置。
【請求項２】
前記制御部は、前記無操作時間が前記画面オフ時間の所定の時間前になったか否かを検出し、前記所定の時間前になったことを検出すると、前記画面をオフすることを通知する画面オフメッセージを前記映像表示部に表示させることを特徴とする請求項１に記載のデジタル放送受信装置。
【請求項３】
前記制御部は、前記画面がオフしてから前記電源オフ時間までの間に、前記デジタル放送受信装置に対する操作が行われた否かを検出し、
前記電源制御部は、前記制御部により前記デジタル放送受信装置に対する操作が行われたことが検出された場合、前記画面をオンするために、前記映像表示部への電源の供給を開始するように制御することを特徴とする請求項１または請求項２に記載のデジタル放送受信装置。
【請求項４】
前記制御部は、前記無操作時間が前記電源オフ時間になったか否かを検出し、
前記電源制御部は、前記制御部により前記無操作時間が前記電源オフ時間になったことが検出された場合、前記デジタル放送受信装置の電源をオフすることを特徴とする請求項１から請求項３のいずれか１項に記載のデジタル放送受信装置。
【請求項５】
前記制御部は、視聴中の番組が切り換わった際に、前記切り換わった番組の残り放送時間を検出し、前記残り放送時間が前記電源オフ時間より長い場合、前記無操作電源オフ機能を無効にするか否かを選択させる選択メッセージを前記映像表示部に表示させることを特徴とする請求項１から請求項４のいずれか１項に記載のデジタル放送受信装置。
【発明の詳細な説明】
【技術分野】
【０００１】
本発明は、デジタル放送受信装置に関し、特に、無操作状態を検出して電源をオフする無操作電源オフ機能を備えたデジタル放送受信装置に関する。
【背景技術】
【０００２】
従来、デジタル放送受信装置においては、ユーザがデジタル放送受信装置の本体またはリモートコントローラ（以下、リモコンという）に設けられている電源ボタンを押すことによって、電源のオンまたはオフが切り換えられていた。そのため、ユーザが、例えば、デジタル放送の番組を視聴中に眠ってしまった場合、デジタル放送受信装置の電源がオンにされたままの状態となり、無駄な電力が消費されてしまうという問題がある。
【０００３】
そこで、近年、デジタル放送受信装置は、デジタル放送受信装置の本体またはリモコンに設けられている操作ボタンが所定の時間操作されない場合に、即ち、無操作状態の場合に、自動的に本体の電源をオフする無操作電源オフ機能を備えている。これにより、ユーザが、例えば、デジタル放送の番組を視聴中に眠ってしまった場合、デジタル放送受信装置は、無操作状態を検知して自動的に電源をオフすることにより、消費電力を削減することができる。
【０００４】
例えば、特許文献１には、上述した無操作電源オフ機能を備えた放送受信装置が提案されている。
【先行技術文献】
【特許文献】
【０００５】
【特許文献１】特開２００９−６０２０６号公報
【発明の概要】
【発明が解決しようとする課題】
【０００６】
しかしながら、上記提案の放送受信装置では、無操作状態が継続して自動的に電源がオフした後の消費電力は削減することができるが、無操作状態が継続している間の消費電力は削減することができないという問題がある。
【０００７】
本発明は、無操作状態が継続している間においても、消費電力の削減をすることができるデジタル放送受信装置を提供することを目的とする。
【課題を解決するための手段】
【０００８】
本発明の一態様によれば、無操作状態を検出して電源をオフする無操作電源オフ機能を備えたデジタル放送受信装置であって、前記無操作電源オフ機能が有効に設定されると、画面をオフするまでの画面オフ時間及び電源をオフするまでの電源オフ時間を記録する不揮発性記録媒体と、前記デジタル放送受信装置に対する操作が行われない無操作時間をカウントするタイマと、前記タイマによりカウントされた前記無操作時間が前記画面オフ時間になったか否かを検出する制御部と、前記制御部により前記無操作時間が前記画面オフ時間になったことが検出された場合、前記画面をオフするために、映像表示部への電源の供給を停止するように制御する電源制御部とを備えることを特徴とするデジタル放送受信装置を提供することができる。
【発明の効果】
【０００９】
本発明のデジタル放送受信装置によれば、無操作状態が継続している間においても、消費電力の削減をすることができる。
【図面の簡単な説明】
【００１０】
【図１】本発明の一実施の形態に係るデジタル放送受信装置の構成を示すブロック図である。
【図２】無操作電源オフ機能を有効にした際のデジタル放送受信装置の処理の例を示すタイムチャートである。
【図３】無操作電源オフ機能を設定するための設定画面の例を示す図である。
【図４】選択メッセージが表示される表示画面の例を示す図である。
【図５】画面オフメッセージが表示される表示画面の例を示す図である。
【図６】視聴中の番組が切り換わった場合の処理の流れの例を説明するためのフローチャートである。
【図７】無操作電源オフ機能の処理の流れの例を説明するためのフローチャートである。
【発明を実施するための形態】
【００１１】
以下、図面を参照して本発明の実施の形態について詳細に説明する。  
まず、図１に基づき、本発明の一実施の形態に係るデジタル放送受信装置の構成について説明する。図１は、本発明の一実施の形態に係るデジタル放送受信装置の構成を示すブロック図である。
【００１２】
デジタル放送受信装置１は、アンテナ２で受信されたデジタル放送信号に対応した映像を表示する。また、デジタル放送受信装置１は、リモコン３からの操作信号に基づいて、後述する無操作電源オフ機能等を実行する。
【００１３】
図１に示すように、デジタル放送受信装置１は、チューナ１１と、復調部１２と、ストリーム処理部１３と、信号処理部１４と、音声処理部１５と、音声出力部１６と、グラフィック処理部１７と、映像処理部１８と、映像表示部１９と、ハードディスクドライブ（以下、ＨＤＤという）２０と、リモコン受信部２１と、制御部２２と、ＯＳＤ信号生成部２３と、無操作タイマ２４と、電源制御部２５と、電源部２６とを有して構成されている。
【００１４】
アンテナ２は、デジタル放送信号を受信し、受信したデジタル放送信号をチューナ１１に供給する。
【００１５】
チューナ１１は、ユーザがリモコン３を用いて指定したチャンネルに対応するデジタル放送信号を選局し、選局したデジタル放送信号を復調部１２に出力する。
【００１６】
復調部１２は、チューナ１１により選局されたデジタル放送信号を復調し、トランスポートストリームを得る。復調部１２は、このトランスポートストリームをストリーム処理部１３に出力する。
【００１７】
ストリーム処理部１３は、このトランスポートストリームの復号処理を行い、MPEG２圧縮フォーマット形式の映像信号及び音声信号と、イベント情報テーブル（以下、ＥＩＴという）等を含むＳＩ情報とを抽出する。ストリーム処理部１３は、抽出した映像信号及び音声信号を信号処理部１４に出力する。また、ストリーム処理部１３は、抽出したＳＩ情報を不揮発性記録媒体であるＨＤＤ２０に出力する。
【００１８】
信号処理部１４は、映像信号及び音声信号に対して所定のデジタル信号処理を施し、所定のデジタル信号処理を施した映像信号及び音声信号を、それぞれグラフィック処理部１７及び音声処理部１５に出力する。
【００１９】
音声処理部１５は、信号処理部１４からの音声信号に音声処理を施し、音声処理を施した音声信号を音声出力部１６に出力する。
【００２０】
音声出力部１６は、スピーカ等であり、音声処理部１５からの音声処理が施された音声信号に応じた音声を出力する。
【００２１】
グラフィック処理部１７は、信号処理部１４からの映像信号に、後述するＯＳＤ信号生成部２３からのＯＳＤ信号を重畳し、ＯＳＤ信号を重畳した映像信号を映像処理部１８に出力する。
【００２２】
映像処理部１８は、グラフィック処理部１７からの映像信号に映像処理を施し、映像処理を施した映像信号を映像表示部１９に出力する。
【００２３】
映像表示部１９は、液晶ディスプレイ等であり、映像処理部１８からの映像信号に応じた映像を表示する。
【００２４】
ＨＤＤ２０には、ストリーム処理部１３から出力されたＳＩ情報が記録されるとともに、制御部２２によって実行されるプログラム等が記録される。
【００２５】
リモコン受信部２１は、ユーザがリモコン３を操作すると、リモコン３からのユーザの操作に対応する操作信号を受信し、受信した操作信号を制御部２２に出力する。
【００２６】
制御部２２は、デジタル放送受信装置１全体の制御を行うとともに、ユーザによるリモコン３の操作により無操作電源オフ機能が設定されると、後述する制御を行う。
【００２７】
ＯＳＤ信号生成部２３は、制御部２２からの制御信号に基づいて、ＯＳＤ信号を生成し、生成したＯＳＤ信号をグラフィック処理部１７に出力する。
【００２８】
無操作タイマ２４は、ユーザがリモコン３を操作して無操作電源オフ機能を設定されると、無操作時間をカウントする。無操作タイマ２４は、無操作時間をカウントしたカウント値を制御部２２に出力する。このカウント値は、ユーザによりリモコン３あるいはデジタル放送受信装置１に設けられた操作ボタンが操作されると、制御部２２によってリセットされる。
【００２９】
電源制御部２５は、制御部２２からの指示に基づき、電源制御信号を電源部２６に出力する。
【００３０】
電源部２６は、電源制御部２５からの電源制御信号に基づいて、必要な箇所へ電源を供給する。
【００３１】
図２は、無操作電源オフ機能を有効にした際のデジタル放送受信装置の処理の例を示すタイムチャートである。  
図２において、時間Ｔは、無操作状態を検出してからの経過時間、即ち、無操作時間を示す。また、時間Ｔ１は、無操作状態を検出してから画面をオフ、言い換えると、バックライトを消灯するまでの時間を示し、時間Ｔ２は、無操作状態を検出してからデジタル放送受信装置１本体の電源をオフ、言い換えると、スタンバイ状態にするまでの時間を示す。
【００３２】
これらの無操作状態を検出してから画面をオフするまでの時間Ｔ１及びデジタル放送受信装置１本体の電源をオフするまでの時間Ｔ２は、それぞれユーザがグラフィカルユーザインターフェースによって任意の値を設定することが可能である。なお、以下の説明では、無操作状態を検出してから画面をオフするまでの時間Ｔ１を画面オフ時間Ｔ１、無操作状態を検出してからデジタル放送受信装置１本体の電源をオフするまでの時間Ｔ２を電源オフ時間Ｔ２ともいう。
【００３３】
また、時間Ｔａは、画面をオフするまでの時間Ｔ１より前に、画面をオフすることを通知する画面オフメッセージを表示する所定の時間を示す。即ち、画面をオフするまでの時間Ｔ１より所定の時間Ｔａだけ前になると、画面オフメッセージが画面上、即ち、映像表示部１９に表示される。画面オフメッセージは、リモコン３あるいはデジタル放送受信装置１本体のボタン操作が検出されない場合、無操作時間Ｔが画面オフ時間Ｔ１になるまで画面上に表示され続ける。
【００３４】
所定の時間Ｔａは、例えば、５分に設定され、画面オフ時間Ｔ１の５分前になると、画面オフメッセージが画面上に表示される。なお、所定の時間Ｔａは、５分に限定されることなく、任意の値を設定できるようにしてもよい。
【００３５】
図２に示すように、無操作電源オフ機能が有効になると、無操作時間Ｔのカウントが開始される。そして、無操作状態を検出してから、視聴中の番組が切り換わった場合、ＥＩＴのイベント情報から切り換わった番組の残り放送時間Ｔ３が読み出され、残り放送時間Ｔ３≧電源オフ時間Ｔ２である場合、無操作電源オフ機能を無効にするか否かを選択させるための選択メッセージが画面上に表示される。視聴中の番組が切り換わったことを検出する場合、制御部２２がトランスポートストリームに含まれる番組を特定する情報を検出することにより行われる。
【００３６】
また、無操作状態を検出してから画面オフ時間Ｔ１の所定の時間Ｔａ前になると、画面上に画面をオフすることを通知するための画面オフメッセージが画面上に表示される。そして、無操作時間Ｔが画面オフ時間Ｔ１になると、バックライトを消灯することで画面がオフされる。このとき、音声は音声出力部１６から継続して出力される。
【００３７】
このように、無操作時間Ｔが画面オフ時間Ｔ１になり、画面がオフされる場合、電源制御部２５の制御によって、電源部２６は、映像表示部１９への電源の供給を停止する。なお、画面がオフされる場合、映像信号の処理及びＯＳＤ信号の生成の必要がないため、映像表示部１９に加え、グラフィック処理部１７、映像処理部１８及びＯＳＤ信号生成部２３への電源の供給を停止するようにしてもよい。
【００３８】
さらに、無操作時間Ｔが電源オフ時間Ｔ２になると、デジタル放送受信装置１本体の電源がオフされ、スタンバイ状態に移行する。即ち、電源制御部２５の制御によって、電源部２６は、デジタル放送受信装置１全体への電源の供給を停止する。
【００３９】
ここで、無操作電源オフ機能を設定するための設定画面について説明する。  
図３は、無操作電源オフ機能を設定するための設定画面の例を示す図である。  
図３に示す設定画面３１は、ユーザがリモコン３に設けられている無操作電源オフ機能設定ボタン（以下、単に設定ボタンという）を押すと、映像表示部１９に表示される。
【００４０】
制御部２２は、ユーザによりリモコン３の設定ボタンが押されると、対応する操作信号をリモコン受信部２１を介して受信する。制御部２２は、この操作信号に基づいて、設定画面３１を生成させるための制御信号をＯＳＤ信号生成部２３に出力する。
【００４１】
ＯＳＤ信号生成部２３は、この制御信号に基づいて、設定画面３１に対応するＯＳＤ信号を生成し、グラフィック処理部１７に出力する。グラフィック処理部１７は、映像信号に設定画面３１に対応するＯＳＤ信号を重畳する。これにより、映像表示部１９には、映像に重畳された設定画面３１が表示される。
【００４２】
この設定画面３１は、Automatic Power Down、Time until power down及びTime until video offの３つの設定項目を有している。
【００４３】
Automatic Power Downは、無操作電源オフ機能の有効（Enable）または無効（Disable）を設定するための設定項目であり、Time until power downは、デジタル放送受信装置１本体の電源をオフするまでの時間Ｔ２を設定するための設定項目であり、Time until video offは、画面をオフするまでの時間Ｔ１を設定するための設定項目である。
【００４４】
ユーザは、リモコン３に設けられている上下左右ボタン、０−９ボタン及びＯＫボタンを操作し、無操作状態電源オフ機能の有効または無効、電源オフ時間Ｔ２及び画面オフ時間Ｔ１を設定することができる。図３の例では、無操作電源オフ機能が有効、電源オフ時間Ｔ２が３時間、画面オフ時間Ｔ１が２時間に設定されている。
【００４５】
これらの無操作状態電源オフ機能の有効または無効、画面オフ時間Ｔ１及び電源オフ時間Ｔ２の設定情報は、不揮発性記録媒体であるＨＤＤ２０に記録される。なお、設定画面３１を用いて行われた設定は、電源がオン中の一時的な設定としてもよいし、電源がオフした後も保持する設定としてもよい。
【００４６】
次に、選択メッセージが表示される表示画面について説明する。  
図４は、選択メッセージが表示される表示画面の例を示す図である。  
図４に示す表示画面３２は、ユーザに無操作電源オフ機能を無効にするか否かを選択させる選択メッセージが表示される表示画面であり、視聴中の番組が切り換わった際に、その切り換わった番組の残り放送時間Ｔ３が電源オフ時間Ｔ２よりも長い場合に、映像表示部１９に表示される。
【００４７】
制御部２２は、無操作電源オフ機能が有効の際に、視聴中の番組が切り換ると、ＨＤＤ２０に記録されているＳＩ情報に含まれるＥＩＴを読み出し、切り換わった番組の残り放送時間Ｔ３を算出する。制御部２２は、残り放送時間Ｔ３が電源オフ時間Ｔ２以上か否かを検出し、残り放送時間Ｔ３が電源オフ時間Ｔ２以上の場合、表示画面３２を生成させるための制御信号をＯＳＤ信号生成部２３に出力する。
【００４８】
ＯＳＤ信号生成部２３は、この制御信号に基づいて、表示画面３２に対応するＯＳＤ信号を生成し、グラフィック処理部１７に出力する。グラフィック処理部１７は、映像信号に表示画面３２に対応するＯＳＤ信号を重畳する。これにより、映像表示部１９には、映像に重畳された表示画面３２が表示される。
【００４９】
この表示画面３２には、「視聴中の番組の終了予定時刻はxx:xxですが、Ｔ２時間無操作を継続すると自動的に電源をオフします。無操作電源オフ機能を無効にしますか？」というメッセージが表示される。
【００５０】
ユーザは、無操作電源オフ機能を無効にする場合、リモコン３に設けられた左右ボタンでＹｅｓを選択し、ＯＫボタンを押すことで、無操作電源オフ機能を無効にすることができる。また、ユーザは、無操作電源オフ機能を無効にせずに有効のままにする場合、リモコン３に設けられた左右ボタンでＮｏを選択し、ＯＫボタンを押すことで、無操作電源オフ機能を有効のままにすることができる。
【００５１】
このように、表示画面３２は、視聴中の番組が切り換わった際に、切り換わった番組の残り放送時間Ｔ３が電源オフ時間Ｔ２より長い場合に、無操作電源オフ機能を無効にするか否かを選択させる選択メッセージを表示する。これにより、ユーザは、リモコン３に設けられた設定ボタンの操作等により、図３に示した設定画面３１を表示させることなく、無操作電源オフ機能を無効にすることができる。なお、表示画面３２を用いて行われた設定は、電源がオン中の一時的な設定としてもよいし、電源がオフした後も保持する設定としてもよい。
【００５２】
次に、画面オフメッセージが表示される表示画面について説明する。  
図５は、画面オフメッセージが表示される表示画面の例を示す図である。画面をオフするまでの時間Ｔ１から所定の時間Ｔａ前になると、表示画面３３が映像表示部１９に表示される。
【００５３】
制御部２２には、無操作タイマ２４から無操作時間をカウントしたカウント値が供給される。制御部２２は、このカウント値が画面オフ時間Ｔ１−所定の時間Ｔａ以上になったか否かを検出し、カウント値が画面オフ時間Ｔ１−所定の時間Ｔａ以上になったことを検出した場合、表示画面３３を生成させるための制御信号をＯＳＤ信号生成部２３に出力する。
【００５４】
ＯＳＤ信号生成部２３は、この制御信号に基づいて、表示画面３３に対応するＯＳＤ信号を生成し、グラフィック処理部１７に出力する。グラフィック処理部１７は、映像信号に表示画面３３に対応するＯＳＤ信号を重畳する。これにより、映像表示部１９には、映像に重畳された表示画面３３が表示される。
【００５５】
この表示画面３３には、「まもなく画面をオフします。無操作検出時間をリセットしたい場合はExitボタンを押してください。無操作電源オフ機能を無効にしたい場合はOKボタンを押してください。」というメッセージが表示される。
【００５６】
ユーザは、無操作時間Ｔのカウント値をリセットしたい場合、リモコン３に設けられたExitボタンを押し、無操作電源オフ機能を無効にしたい場合、リモコン３に設けられたOKボタンを押す。
【００５７】
このように、表示画面３３は、無操作時間Ｔのカウント値のリセットをユーザに促すとともに、無操作電源オフ機能を無効にするか否かを選択させるためのメッセージを表示する。これにより、ユーザは、リモコン３に設けられた設定ボタンの操作等により、図３に示した設定画面３１を表示させることなく、無操作電源オフ機能を無効にすることができる。なお、表示画面３３を用いて行われた設定は、電源がオン中の一時的な設定としてもよいし、電源がオフした後も保持する設定としてもよい。
【００５８】
ここで、このように構成されるデジタル放送受信装置１の処理について説明する。  
まず、視聴中の番組が切り換わった場合の処理について説明する。  
図６は、視聴中の番組が切り換わった場合の処理の流れの例を説明するためのフローチャートである。
【００５９】
まず、無操作電源オフ機能が有効か否かが検出される（ステップＳ１）。無操作電源オフ機能が無効の場合、ＮＯとなり、処理を終了する。一方、無操作電源オフ機能が有効の場合、ＹＥＳとなり、視聴中の番組が切り換わったか否かが検出される（ステップＳ２）。視聴中の番組が切り換わっていない場合、ＮＯとなり、処理を終了する。一方、視聴中の番組が切り換わった場合、ＹＥＳとなり、ＥＩＴより切り換わった番組の残り放送時間Ｔ３が算出される（ステップＳ３）。
【００６０】
次に、算出された残り放送時間Ｔ３が電源オフ時間Ｔ２以上か否かが検出される（ステップＳ４）。残り放送時間Ｔ３が電源オフ時間Ｔ２以上でない場合、ＮＯとなり、処理を終了する。残り放送時間Ｔ３が電源オフ時間Ｔ２以上の場合、ＹＥＳとなり、無操作電源オフ機能を無効にするか否かを選択させるための選択メッセージを表示し（ステップＳ５）、処理を終了する。
【００６１】
次に、無操作電源オフ機能の処理について説明する。  
図７は、無操作電源オフ機能の処理の流れの例を説明するためのフローチャートである。  
まず、無操作電源オフ機能が有効か否かが検出される（ステップＳ１１）。無操作電源オフ機能が無効の場合、ＮＯとなり、処理を終了する。一方、無操作電源オフ機能が有効の場合、ＹＥＳとなり、リモコン３またはデジタル放送受信装置１本体のボタン操作が検出されたか否かが判定される（ステップＳ１２）。ボタン操作が検出された場合、ＹＥＳとなり、無操作時間Ｔが画面オフ時間Ｔ１以上かつ電源オフ時間Ｔ２より小さいか否かが検出される。無操作時間Ｔが画面オフ時間Ｔ１以上かつ電源オフ時間Ｔ２より小さい場合、ＹＥＳとなり、画面がオンされ（ステップＳ１４）、即ち、バックライトが点灯され、無操作タイマ２４のカウント値がリセットされる（ステップＳ１５）。一方、ステップＳ１３において、無操作時間Ｔが画面オフ時間Ｔ１以上かつ電源オフ時間Ｔ２より小さくない場合、ＮＯとなり、無操作時間Ｔが画面オフ時間Ｔ１−所定の時間Ｔａ以上かつ画面オフ時間Ｔ１より小さいか否かが検出される（ステップＳ１６）。無操作時間Ｔが画面オフ時間Ｔ１−所定の時間Ｔａ以上かつ画面オフ時間Ｔ１より小さい場合、ＹＥＳとなり、画面オフメッセージが非表示にされ（ステップＳ１７）、ステップＳ１５において無操作タイマ２４のカウント値がリセットされる。一方、無操作時間Ｔが画面オフ時間Ｔ１−所定の時間Ｔａ以上かつ画面オフ時間Ｔ１より小さくない場合、ＮＯとなり、ステップＳ１５において無操作タイマ２４のカウント値がリセットされる。
【００６２】
このように、ステップＳ１２において、ボタン操作が検出された場合、画面がオフの期間であれば、画面がオンされ、かつ無操作タイマ２４のカウント値がリセットされる。また、画面オフメッセージの表示期間であれば、画面オフメッセージが非表示にされ、かつ無操作タイマ２４のカウント値がリセットされる。さらに、これらの期間以外であれば、単に無操作タイマ２４のカウント値がリセットされる。
【００６３】
一方、ステップＳ１２において、ボタン操作が検出されない場合、ＮＯとなり、無操作タイマ２４のカウント値がカウントアップされる（ステップＳ１８）。そして、カウントアップされた無操作時間Ｔが画面オフ時間Ｔ１−所定の時間Ｔａより小さいか否かが検出される（ステップＳ１９）。カウントアップされた無操作時間Ｔが画面オフ時間Ｔ１−所定の時間Ｔａより小さい場合、ＹＥＳとなり、処理を終了する。一方、カウントアップされた無操作時間Ｔが画面オフ時間Ｔ１−所定の時間Ｔａより小さくない場合、ＮＯとなり、カウントアップされた無操作時間Ｔが画面オフ時間Ｔ１より小さいか否かが検出される（ステップＳ２０）。カウントアップされた無操作時間Ｔが画面オフ時間Ｔ１より小さい場合、ＹＥＳとなり、画面オフメッセージが表示され（ステップＳ２１）、ステップＳ２２に進む。
【００６４】
一方、カウントアップされた無操作時間Ｔが画面オフ時間Ｔ１より小さくない場合、ＮＯとなり、カウントアップされた無操作時間Ｔが画面オフ時間Ｔ１以上かつ電源オフ時間Ｔ２より小さいか否かが検出される（ステップＳ２２）。カウントアップされた無操作時間Ｔが画面オフ時間Ｔ１以上かつ電源オフ時間Ｔ２より小さい場合、ＹＥＳとなり、画面がオフされ（ステップＳ２３）、処理を終了する。一方、カウントアップされた無操作時間Ｔが画面オフ時間Ｔ１以上かつ電源オフ時間Ｔ２より小さくない場合、ＮＯとなり、カウントアップされた無操作時間Ｔが電源オフ時間Ｔ２と同じか否かが検出される（ステップＳ２４）。カウントアップされた無操作時間Ｔが電源オフ時間Ｔ２と同じ場合、ＹＥＳとなり、デジタル放送受信装置１本体の電源がオフされ（ステップＳ２５）、処理を終了する。一方、カウントアップされた無操作時間Ｔが電源オフ時間Ｔ２と同じでない場合、ＮＯとなり、処理を終了する。
【００６５】
以上のように、デジタル放送受信装置１は、ユーザにより設定される画面オフ時間Ｔ１及び電源オフ時間Ｔ２に基づいて、無操作状態が継続して自動的に本体の電源がオフする前に、画面オフ、即ち、バックライト消灯期間を設けるようにした。この結果、デジタル放送受信装置１は、画面がオフしている期間の消費電力を削減することができる。
【００６６】
よって、本実施の形態のデジタル放送受信装置によれば、無操作状態が継続している間においても、消費電力の削減をすることができる。
【００６７】
また、デジタル放送受信装置１は、画面がオフしている期間においても、音声を出力するようにしている。このため、ユーザは、例えば画面を見ずに音声のみを聞いている状況等において、出力される音声に興味を持った場合、リモコン３の操作ボタンを操作することで、直ちに映像を復帰させることができる。
【００６８】
さらに、ユーザは、音声のみを聴きたい番組の場合、直ちに画面がオフするように、画面オフ時間Ｔ１を設定することで、デジタル放送受信装置１の消費電力を削減することができる。
【００６９】
また、視聴中の番組が切り換わった際に、切り換わった番組の残り放送時間Ｔ３を算出することで、表示画面３２に示すように、番組の途中で無操作電源オフ機能が動作することをユーザに通知することができる。この結果、ユーザは、デジタル放送受信装置１の電源がクライマックスシーンの前にオフすることを防止することができる。
【００７０】
さらにまた、表示画面３２及び３３において、無操作電源オフ機能を有効とするか無効とするかをユーザに選択させるようにしている。この結果、ユーザは、無操作電源オフ機能の設定を変更する際に、毎回、リモコン３の設定ボタンを押し、設定画面３１を映像表示部１９に表示させる必要がなくなる。
【００７１】
デジタル放送受信装置１は、上述した無操作電源オフ機能を搭載することで、無操作電源オフ機能付きのデジタル放送受信装置としての付加価値を向上させることができる。
【００７２】
なお、本明細書における各フローチャート中の各ステップは、その性質に反しない限り、実行順序を変更し、複数同時に実行し、あるいは実行毎に異なった順序で実行してもよい。
【００７３】
本発明は、上述した実施の形態に限定されるものではなく、本発明の要旨を変えない範囲において、種々の変更、改変等が可能である。
【符号の説明】
【００７４】
１…デジタル放送受信装置、２…アンテナ、３…リモコン、１１…チューナ、１２…復調部、１３…ストリーム処理部、１４…信号処理部、１５…音声処理部、１６…音声出力部、１７…グラフィック処理部、１８…映像処理部、１９…映像表示部、２０…ＨＤＤ、２１…リモコン受信部、２２…制御部、２３…ＯＳＤ信号生成部、２４…タイマ、２５…電源制御部、２６…電源部、３１…設定画面、３２，３３…表示画面。
【図１】
2011217117.tif 000003
【図２】
2011217117.tif 000004
【図３】
2011217117.tif 000005
【図４】
2011217117.tif 000006
【図５】
2011217117.tif 000007
【図６】
2011217117.tif 000008
【図７】
2011217117.tif 000009